(57)【要約】【課題】セルラーマルチキャリア通信システム（例えば、セルラーＯＦＤＭシステム）を提供すること。【解決手段】本発明の一実施形態の目的は、別の信号、または多数のそのような信号が同じ周波数帯域を占有している場合でさえも、それを用いてそのようなマルチキャリアシステム内の信号が互いに分離されることが可能な方法、コンピュータプログラム、コンピュータプログラム製品、端末装置および基地局を提供することである。  一実施形態では、端末装置内に記憶されたパイロットシステムの助けにより信号が分離されることが可能であるように通信システム内のセルが互いに異なるパイロットシステムを用いることが提示される。【選択図】図３
2007189680.tif 000002
【特許請求の範囲】
【請求項１】
セルラー通信システム内で複数の電磁信号を分離する方法であって、複数の電磁信号の各信号は多数のサブキャリアを有し、
ａ）複数の電磁信号の少なくとも第１の信号と、少なくとも第２の信号とを有する信号ミックスを受信するステップであって、第１の信号および第２の信号は異なるパイロットシステムに関連するステップと、
ｂ）信号ミックスを
ｂ１）第１の信号のパイロットシステム、および
ｂ２）第２の信号のパイロットシステム
に関する情報で復調し、
それにより信号が分離されるステップと
を含む、方法。
【請求項２】
パイロットシステムに関する情報が、第１の信号および第２の信号のチャネル伝送関数を推定する（チャネル推定）ために用いられ、復調はチャネル伝送関数を基準として実行される、請求項１に記載の方法。
【請求項３】
信号ミックスがＡＷＧＮ復調を基準としてまたはマルチユーザ検出手法を基準として復調される、請求項１に記載の方法。
【請求項４】
マルチユーザ検出が最尤検出または最大事後確率検出である、請求項１に記載の方法。
【請求項５】
チャネル推定の出力が復調のための入力として機能する、またはチャネル推定および復調は単一ステップで実行される、請求項１に記載の方法。
【請求項６】
チャネル推定、復調および復号の機能性がターボ概念に従って組み合わされる、請求項１に記載の方法。
【請求項７】
第１の信号および第２の信号がＯＦＤＭ信号である、請求項１から６のいずれかに記載の方法。
【請求項８】
コンピュータ利用可能媒体上に記憶されたコンピュータプログラム製品であって、前記プログラムがコンピュータ上で動作している場合、コンピュータに請求項１から７のいずれかに記載の方法を実行させるためのコンピュータ読取可能プログラム手段を含む、コンピュータプログラム製品。
【請求項９】
請求項１から７のいずれかに記載の方法を実行するように構成された、セルラー通信システムの端末装置。
【請求項１０】
請求項１から７のいずれかに記載の方法を実行するように構成された、セルラー通信システムの基地局。
【発明の詳細な説明】
【技術分野】
【０００１】
マルチキャリア伝送を用いた通信システムはよく知られている。それらの通信システムは、サブキャリアとも呼ばれる多数の電磁搬送波を使って情報を伝送する。例として、デジタル音声放送規格（ＤＡＢ）に従って動作するデジタル加入者線（ＤＳＬ）モデムまたはシステムがある。これらの例では、伝送は直交周波数分割多重（ＯＦＤＭ）に基づく。
【背景技術】
【０００２】
最近、セルラー移動体無線通信にマルチキャリア通信システムを用いることが議論されている。すべてのセルラー通信システムの場合のように、これは干渉の問題に焦点を当てる。セルラーシステムリソース内では類似の周波数または符号が一定の間隔で再利用されるため、信号受信は干渉によって歪められる可能性がある。
【発明の開示】
【発明が解決しようとする課題】
【０００３】
本発明の一実施形態の目的は、異なるマルチキャリア信号を分離することが可能なマルチキャリア伝送を用いたセルラー通信システムを提供することである。
【課題を解決するための手段】
【０００４】
この目的は独立クレームの特徴によって解決される。権利請求された発明のさらなる実施形態はサブクレームの特徴によって説明される。
【０００５】
本発明の一態様はセルラー通信システム内で電磁信号を分離する方法に関する。信号は異なる周波数の多数のサブキャリアを有する。すなわち、通信システムはセルラーマルチキャリア伝送システム（例えば、ＯＦＤＭシステム）である。
【０００６】
通信システムは基地局または前記の信号によって端末装置と通信するように構成されたアクセスポイントを有してよい。信号はケーブル上で、またはエアーインターフェース上で無線形態で交換されてもよい。後者の場合、端末装置は移動体電話、ラップトップ、ノートブック、携帯情報端末（ＰＤＡ）またはエアーインターフェース上でそのような信号を受信するように構成された別の適した電子装置などの移動体端末装置であってよい。前記種類のすべての装置は本説明で説明される実施形態を用いることが可能である。
【０００７】
本発明のこの態様の第１のステップでは、第１の信号Ｓ１と少なくとも第２の信号Ｓ２とを有する信号ミックス（ｓｉｇｎａｌ  ｍｉｘ）が受信される。明確にするために、２個の受信信号の場合のみが以下で説明されるが、本実施形態は３，４，．．．ｎ個（ｎは整数）の受信信号の場合にも動作することが当業者に明らかにされよう。
【０００８】
２個の信号Ｓ１およびＳ２は、同時にまたは一定の時間オフセットで受信されてよい。前者の場合、２個の信号のソース（例えば、２個の基地局）は互いに同期化されてよく、後者の場合、不同期であってよい。２個の信号Ｓ１およびＳ２は２個のパイロットシステムＰ１およびＰ２に関連し、２個のパイロットシステムは互いに異なる。
【０００９】
本開示では、信号は多数のマルチキャリアシンボル（例えば、ＯＦＤＭシンボル）からなるものと理解されるべきである。各マルチキャリアシンボルはデータシンボルとパイロットシンボルとを有する。データシンボルは音声データ、テキストデータなどのユーザ情報を表し、パイロットシンボルはチャネル推定のためにマルチキャリア受信装置によって用いられる。物理的レベルで、各マルチキャリアシンボルのデータシンボルおよびパイロットシンボルは多数のサブキャリアによって運ばれる。このマルチキャリアシンボル内でパイロットシンボルを伝えるサブキャリアはパイロットと呼ばれ、パイロット周波数と呼ばれる周波数を有する。用語「パイロットシステム」は、パイロットシンボルが信号内で配信されるパターンを説明する。
【００１０】
信号ミックスＳ１＋Ｓ２は第１の信号Ｓ１に関連するパイロットシステムＰ１に関する情報および第２の信号Ｓ２に関連するパイロットシステムＰ２に関する情報で復調され、それにより２個の信号は互いに分離される。これはパイロットシステムが信号Ｓ１とＳ２とを分離するための特徴として用いられることを意味する。２個の信号Ｓ１およびＳ２は時間内および周波数内で同じ空間を占有するため、これら信号の分離は時間または周波数以外の差異、すなわちパイロットシステムに基づく。これはマルチユーザ検出と呼ばれる。
【００１１】
上述の実施形態は強く干渉する信号さえ分離することを可能にし、結果として再伝送をまねくエラーの確率または広範な前方向誤り訂正（ｆｏｗａｒｄ  ｅｒｒｏｒ  ｃｏｒｒｅｃｔｉｏｎ）措置の必要性を最小限に抑え、それによりスペクトル効率（ｓｐｅｃｔｒａｌ  ｅｆｆｉｃｉｅｎｃｙ）を改善する。
【００１２】
別の実施形態では、Ｓ１およびＳ２のパイロットシステムはパイロットシンボルを伝えるために異なるサブキャリアを定義する。この場合、２つの信号のパイロットシンボルは異なる周波数を有するパイロットによって伝えられる。第１の信号Ｓ１は、第２の信号Ｓ２が使用しないパイロットシンボルを伝えるために第１の信号Ｓ１が用いる少なくとも１つのパイロット周波数を有する。
【００１３】
同期化された基地局に関連する別の実施形態では、パイロットシステムは一時的に分離される、すなわち、パイロットシステムのための前述の定義は経時的に変化する。これは２個のパイロットシステムに関する変化が異なる期間に起こる可能性を含む。
【００１４】
別の実施形態では、パイロットシンボルは符号セットの異なる符号で得られるため、パイロットシステムは互いに異なる。この場合、２個の信号はパイロットシンボルを伝えるために同じパイロット周波数を使ってもよいが、パイロットシンボルは互いに異なる。パイロットシンボルは特定の符号システムに従って選択されてもよい。各セルは、各セルから伝送された異なるマルチキャリア信号の分離を可能にする異なる符号を用いてもよい。
【００１５】
別の実施形態では、信号の多数のパイロット周波数、またはその表示はベクトル（パイロットベクトル）として構成され、第１の信号および第２の信号のパイロットベクトルは線形独立している。この実施形態は、原則として、パイロットシステムは何らかの方法で検出されることが可能な単一の特徴によって互いに異なれば十分であるという事実を利用する。各信号は多数のパイロットを用い、それらの（パイロット）周波数（またはそれらの表示）のセットはベクトルとして所定の方法で構成されてよい。このベクトルはパイロットベクトルと呼ばれる。一般に、２個の信号のパイロットベクトルが線形独立している場合、それらの信号は用いられるパイロットシステムにより互いに分離されることが可能である。
【００１６】
パイロットベクトルがさらに互いに直交している場合、信号分離は非直交パイロットベクトルの信号に関するよりもさらに簡単になる。
【００１７】
本発明の別の態様は、第１の信号および第２の信号が２個の異なるセルから発生することを提示する。この場合、異なるセルは異なるパイロットシステムを用い、前述の実施形態は第１のセルの第１の信号と第２のセルの第２の信号を区別することを可能にする。したがって、セルラー通信システム、ことによると無線通信システム内の信号分離は実現されることが可能である。第１のセル内で用いられるサブキャリアは、次いで第２のセル内で同じ目的で再利用されてよい。すなわち、１つの周波数再利用が実現され得る。
【００１８】
通信システムの異なるセルが異なるパイロットシステムを用いる場合、セルは異なるサブキャリアを用いてパイロットシンボルを伝えてもよい。これはセルに関するパイロットシステム周波数を定義する規則のセットを用いることによって通信システム内で実現されてよい。１つの周波数再利用が実現されることが可能であるため、パイロットシステムの数はセルの数よりもはるかに小さい。
【００１９】
別の実施形態では、第１の信号および第２の信号は互いに隣接した２つのセルから発生する。第１のセルの第１の信号および第２のセルの第２の信号は、異なるパイロットシステムにより互いに区別されることが可能であるため、これは一般にセルラー通信システムの１を超えるセルの信号が受信される可能性がある状況で用いられることが可能である。実際面で、この状況は２つの近接するセルから発生する信号に関して、特に第１の信号および第２の信号が互いに隣接した２つのセルから発生する場合に起こる可能性が最も高い。
【００２０】
実際的な例として、第１の信号Ｓ１は、第２の信号Ｓ２が干渉源とみなされることが可能であるように動作中の基地局から発生してよい。２個の信号はそのパイロットシステムに基づき互いに分離されることが可能であるため、信号ミックスＳ１＋Ｓ２内の干渉寄与（ｉｎｔｅｒｆｅｒｅｎｃｅ  ｃｏｎｔｒｉｂｕｔｉｏｎ）Ｓ２が判断され得る。結果として、信号Ｓ１はＳ２からの妨害雑音（ｄｉｓｔｕｒｂｉｎｇ  ｎｏｉｓｅ）なしに高い品質で受信されることが可能である。実際に、このシナリオは他のセルからのさらなる信号Ｓ３，Ｓ４，．．．Ｓｎ（ｎは整数）がある状況に関して一般化されてよい。この場合、さらなる干渉寄与Ｓ３，Ｓ４，．．．Ｓｎは所望の信号Ｓ１から分離されることが可能である。
【００２１】
１つの例示的な実施形態では、この方法はパイロットシステムに関する情報を受信するステップを有する。上の説明から得られるように、この方法は受信する信号（例えば、異なるセルからの信号）を分離する装置（例えば、移動体端末装置）によって応用されてよい。これは、装置が受信する信号に関連する基礎的なパイロットシステムを何らかの方法で識別する場合に実現され得る。
【００２２】
そのために、パイロットシステムに関する情報は装置の記憶装置（例えば、ＦＰＧＡまたはＡＳＩＣ）内に永久に記憶されてよい。顧客により購入される際に、装置（例えば、移動体電話）はこの記憶装置を備えていてもよい。別の可能性は装置がこの情報を通信システムから受信することである。それが無線通信システムである場合、情報はエアーインターフェース上でダウンロードされてよい。次いで、情報は将来の使用に向けて記憶装置内に記憶されてよく、無線装置が通信システム内を移動する場合は、基地局から更新されてよい。後者の場合、近くのセルからのパイロットシステムに関する情報のみが識別されればよいため、より少ない情報が記憶されるだけでよい。また、セルラー通信システムの各基地局が、例えば放送チャネル上の伝送によって、独自のパイロットシステムを放送する方式を使用することも可能である。この場合、端末装置は基地局のセットを評価し、したがってパイロットシステムは実際に可視的である。
【００２３】
別の実施形態では、パイロットシステムに関する情報は異なるパイロットシステムを通信システムの異なるセルに帰する。これは、異なるセルが異なるパイロットシステムを有するセルラー通信システムの場合であり得る。
【００２４】
別の実施形態では、パイロットシステムＳ１およびＳ２に関する情報は第１の信号および第２の信号のチャネル／チャネル伝送関数を推定するために用いられる。この方法はチャネル推定と呼ばれる。チャネルはチャネルインパルス応答のフーリエ変換である。フーリエ変換はチャネル伝送関数と呼ばれる。これは、パイロットベクトルが線形独立している場合に常に可能である。すべての計算されたチャネル伝送関数Ｈｉ（ｆ，ｔ）（指数ｉは装置が受信する信号ミックス内の信号を意味し、現在の例ではｉ＝１，２）は、次いで信号ミックスを復調するために用いられ、それにより信号ミックスに寄与する個々の信号を識別し、それにより個々の信号を分離する。
【００２５】
装置が信号ミックスＳ１＋Ｓ２を受信する場合、装置は信号を復調するために少なくとも２つの手法を用いることが可能である。
【００２６】
１つの可能性は、１つの有用な信号Ｓ１のみが存在し、チャネル効果以外のすべての歪みＳ２，．．．Ｓｎは加法的白色ガウス雑音（ａｄｄｉｔｉｖｅ  ｗｈｉｔｅ  Ｇａｕｓｓｉａｎ  ｎｏｉｓｅ）として形成される（ｍｏｄｅｌｌｅｄ）ことが可能であることを想定するＡＷＧＮ復調を用いることである。この復調方式はいくつかの統計的基準（例えば、雑音Ｓ２，．．．Ｓｎの二次モーメント（ｓｅｃｏｎｄ  ｏｒｄｅｒ  ｍｏｍｅｎｔ）形成）が導入され、それにより復調処理を改善するように拡張されてよい。
【００２７】
別の可能性はマルチユーザ検出を実行することであり、その場合、全体の復調処理は各々が独自の伝送チャンネルによって歪められたいくつかのユーザ信号からなるものとして受信信号を形成することに基づく。
【００２８】
別の実施形態では、マルチユーザ検出は最尤（ＭＬ）検出または最大事後確率（ＭＡＰ）検出である。
【００２９】
さらなる実施形態では、チャネル推定の出力は復調のための入力として機能する。
【００３０】
別の実施形態は単一ステップでチャネル推定および復調を実行する。この場合、結合データおよびチャネル推定が実行され、チャネルの推定は復調に組み込まれる。次いで、データに関してだけでなく、チャネルに関しても様々な仮定が評価される。
【００３１】
本発明の別の実施形態によれば、マルチユーザ検出方式は最尤検出または最大事後確率検出に基づく。前者の場合、ビタビアルゴリズム、ソフトビタビアルゴリズムおよび縮退状態（ｒｅｄｕｃｅｄ  ｓｔａｔｅ）ビタビアルゴリズムが用いられてよい。後者の場合、完全最大事後確率（ＭＡＰ）、または縮退状態ＭＡＰが実行されてよい。
【００３２】
さらなる実施形態は、反復チャネル推定を用いる。反復チャネル推定概念は特にＯＦＤＭシステムなどのシステムに適している。チャネル推定は、装置内に記憶された、すでに識別されているパイロットシステムから始まる。これにより第１の復調ステップが可能になる。識別されているデータの範囲が拡張されているため、データシンボルに関する第１のステップの推定に基づき、チャネル推定は改善されることが可能である。改善されたチャネル推定は第２の改善されたデータ検出を可能にする。さらなる反復が後に続いてよい。
【００３３】
別の実施形態によれば、ターボ概念（Ｔｕｒｂｏ  ｃｏｎｃｅｐｔ）に基づく復調が実行される。この場合、復調処理の間に得られた情報と復号処理から生じる情報とを反復方法で組み合わせ、用いられた符号化方式およびインターリーブ方式を反映することが可能である。
【００３４】
別の実施形態では、信号はＯＦＤＭ信号である。
【００３５】
多数の実施形態で上に開示された信号分離は（例えば、そこから信号が発生する基地局の）信号の同期化に限定されない点が強調されるべきである。上述の信号分離方法は完全同期化の場合に最適に動作するが、同期化は必須条件ではない。時間および周波数内での相関関係が識別されている場合、または適切なアルゴリズムによって推定されることが可能な場合、少なくとも次善のアルゴリズムが得られてもよい。その結果、複雑性が増す。このように、分離は同期化された基地局に限定されない。
【００３６】
上述の説明からすでに得られるように、この方法は装置（例えば、移動体端末装置であってよい端末装置）内に常駐するコンピュータプログラムによって少なくとも部分的に実行される。
【００３７】
本発明の一実施形態によれば、パイロットシステムはパイロットシンボルを伝えるために異なるサブキャリアを定義する。具体的には、パイロットシステムはパイロットシンボルを伝えるために異なるサブキャリアを定義してよく、この定義は経時的に変化する。さらに異なるパイロットシステムのパイロットシンボルは符号セットの異なる符号から得られてよい。
【００３８】
本発明の一実施形態によれば、信号の多数のパイロット周波数、またはその表示はベクトル（パイロットベクトル）として構成され、第１の信号および第２の信号のパイロットベクトルは線形独立している。
【００３９】
本発明の一実施形態によれば、第１の信号および第２の信号は２つの異なるセルから発生する。具体的には、第１の信号および第２の信号は互いに隣接した２つのセルから発生してよい。
【００４０】
本発明の一実施形態によれば、パイロットシステムに関する情報が受信され、パイロットシステムに関する情報は異なるパイロットシステムを通信システムの異なるセルに帰してよい。
【００４１】
上述の実施形態はハードウェア、ソフトウェア、またはハードウェアとソフトウェアとの組合せの形で実現されてよい。あらゆる種類のコンピュータシステム、または本明細書で説明される方法を実行するように構成されたその他の装置が適している。ハードウェアとソフトウェアとの典型的な組合せは、ロードされ実行される場合、本明細書で説明される方法を実行するようにＤＳＰを制御するコンピュータプログラムを備えたＤＳＰ（デジタル信号処理装置）であり得る。本発明の実施形態はまた、本明細書で説明される方法の実装を可能にするすべての特徴を有し、コンピュータシステム内でロードされる場合、これらの方法を実行することが可能なコンピュータプログラム製品内に組み込まれてもよい。
【００４２】
この場合、コンピュータプログラム手段またはコンピュータプログラムは、情報処理能力を有するシステムに、直接または以下のいずれかもしくは両方の後で特定の機能を実行させるための指令のセットの、任意の言語、符号または表記法での、任意の表現を意味する：ａ）別の言語、符号または表記法への変換；ｂ）異なる材料形態（ｍａｔｅｒｉａｌ  ｆｏｒｍ）での複製。
【００４３】
本発明の別の実施形態は基地局および端末装置に関し、それらの各々は上述の実施形態を用いるように構成されたセルラー通信システム（例えば、セルラーＯＦＤＭシステム）のものである。動作に際して、基地局および／または端末装置は前述のコンピュータプログラムを実行するために用いられるコンピュータシステム（例えば、ＤＳＰ）を有してよい。
【００４４】
権利請求される発明のこれら態様およびその他の態様は以下に説明される実施形態から、さらにこれらの実施形態を参照して明らかにされよう。参照符号の使用は本発明の範囲を限定するものとして解釈されるべきではない点に留意されたい。
【発明を実施するための最良の形態】
【００４５】
図１はセルラーマルチキャリア通信ネットワーク１を示す。ネットワーク１は六角構造で構成されたセル２を有する。中心セルはパイロットシステムＰ０を有し、かつ６つのセル２に隣接し、６つのセル２はパイロットシステムＰ１からＰ６を有する。すべてのパイロットシステムは互いに異なる。移動体端末が２つのセル間の境界領域のどこかに位置する場合、移動体端末は動作中のセルの信号に加えて、近接するセルから少なくとも１個の干渉信号を受信する。
【００４６】
図２はそのような干渉状態をさらに詳細に示す。基地局３は第１のセル２’をカバーし、パイロットシステムＰ１を用いて信号Ｓ１を送る。基地局４は第２のセル２”をカバーし、パイロットシステムＰ２を用いて信号Ｓ２を送る。両方の信号は、一般に同期化されていない基地局３、４によって伝送されたＯＦＤＭ信号である。移動体端末５（例えば、ノートブック、ラップトップ、移動体電話、ＰＤＡまたは無線ＯＦＤＭ信号の受信および処理に適した任意のその他の電子装置）はそれら２つの基地局３、４間の重複領域８内に位置する。したがって、移動体端末５は信号ミックスＳ１＋Ｓ２を受信する。
【００４７】
各信号Ｓ１および信号Ｓ２は多数の構成要素として受信され、構成要素は物理的に異なる伝送経路に沿って進む。各伝送経路は異なる信号歪みを生じさせる。これは図２で、信号Ｓ１に対応するチャネル伝送関数Ｈ１（ｆ，ｔ）、および信号Ｓ２に対応するチャネル伝送関数Ｈ２（ｆ，ｔ）を示す２つのプロット（ｐｌｏｔｓ）によって示されている。すなわち、Ｓ１に関してはｉ＝１であり、Ｓ２に関してはｉ＝２である。各チャネル伝送関数は周波数ｆおよび時間ｔに対してプロットされている。Ｈ１（ｆ，ｔ）が識別されている場合、原信号はＨ１（ｆ，ｔ）として得られることが可能であり、伝送経路に沿った信号の歪みを表す。
【００４８】
移動体端末５は信号Ｓ１およびＳ２に関連するパイロットシステムを備える。パイロットシステムは端末装置５の記憶装置６内に記憶される。パイロットシステムは動作中の基地局３からエアーインターフェース上で受信されてよい。移動体端末５がセルラー通信システム１内で移動する場合、パイロットシステムに関するこの情報は自動的に更新されてよい。この情報を更新する可能性により、小数のパイロットシステムだけが記憶装置６内に記憶されるだけでよい。一例として、移動体端末５が位置するセルに隣接したセルのパイロットシステムのみが記憶されてよい。
【００４９】
端末装置５は各パイロットシステムを用いて信号ミックスＳ１＋Ｓ２の中からチャネル伝送関数Ｈ１（ｆ，ｔ）を推定、すなわち計算する。これはＤＳＰ（図示されず）によって実行される。そのように得られたＨ１（ｆ，ｔ）を用いて、信号Ｓ１およびＳ２の分離が実行されてよい。
【００５０】
信号Ｓ１およびＳ２が互いに分離される方法は図３の流れ図に例示される。
【００５１】
ステップ２で、信号ミックスＳ１＋Ｓ２は移動体端末５によって受信される。移動体端末５は記憶装置６内にパイロットシステムＰ１およびＰ２に関する情報を有する。記憶装置６はＦＰＧＡであってよい。
【００５２】
ステップ４で、信号Ｓ１に関する情報がメモリ（例えば、ＲＡＭ（ランダムアクセスメモリ））７内にロードされる。復調が開始される場合、Ｓ１に関するこの情報はパイロットシステムＰ１に関連する。
【００５３】
ステップ６で、信号ミックスＳ１＋Ｓ２の中から第１のチャネル伝送関数Ｈ１（ｆ，ｔ）を得るために、パイロットシステムＰ１が用いられる。
【００５４】
ステップ８で、第２の信号Ｓ２に関する情報がＲＡＭ７内にロードされる。復調が開始される場合、この情報はパイロットシステムＰ２に関連する。
【００５５】
ステップ１０で、第２のチャネル伝送関数Ｈ２（ｆ，ｔ）が信号ミックスＳ１＋Ｓ２から得られる。Ｈ２（ｆ，ｔ）はＳ２に関連し、Ｐ２を用いて得られる。このステップ様式の処理は、Ｈ２（ｆ，ｔ）がＨ１（ｆ，ｔ）の後で得られることを意味する。しかし、Ｈ１（ｆ，ｔ）の推定は単一の、結合ステップで実現されてもよい。
【００５６】
計算されたＨ１（ｆ，ｔ）を用いて、信号ミックス内に含まれるすべての信号は復調され、また分離されることが可能である。原信号に関する仮定（ステップ１２を参照）に基づき、かつチャネル知識を用いて、信号ミックスが形成されてよく、最適な仮定が選択されてよい（ステップ１４を参照）。この処理の結果は形成された信号Ｓ１およびＳ２である（ステップ１６を参照）。
【００５７】
最後の項で述べられた技術はよく知られており、多くの変更形態で存在する。したがって、最尤（ＭＬ）検出または最大事後確率（ＭＡＰ）検出に基づく任意の方法が用いられてよい。用いられたアルゴリズムの測定基準に従った最適な仮定の選択により、すべての信号は復調され、それにより分離される。
【００５８】
復調が開始されると、上述のようにステップ２から１６が実行される。処理は反復方法で実行されてよい。この場合、復調された信号は改善されたチャネル推定のために用いられてよい。したがって、ステップ１６の完了後、ステップ４から始まる反復が想定されてよいが、ステップ１６の結果、今回はパイロットだけでなく、すべての信号を用いる。いくつかの反復が可能である。さらなる反復を決定するために様々な基準が想定されてよい。例えば、２つの反復間の信号Ｓ１およびＳ２の変化が閾値より小さい場合、この方法はステップ１８で終了する。
【００５９】
チャネル推定ステップおよび復調ステップはまた、統合された方法で実行されてもよい。したがって、ステップ４および８は１つのステップに統合されてよい。同様に、ステップ６、１０および１２は単一の結合ステップに組み合わされてもよい。
【図面の簡単な説明】
【００６０】
【図１】セルラー通信ネットワークを示す図である。
【図２】セルラー構成のマルチ信号受信を示す図である。
【図３】端末装置によって受信された信号を分離するための方法の使用を例示する流れ図を示す図である。
【符号の説明】
【００６１】
１  セルラー通信システム
２、２’、２”  セル
３、４  基地局
５  端末装置
６  記憶装置
７  ＲＡＭ
８  重複領域
Ｓ１  第１の信号
Ｓ２  第２の信号
Ｐ１、Ｐ２、Ｐ３、Ｐ４、Ｐ５、Ｐ６  パイロットシステム
Ｈ１（ｆ，ｔ）、Ｈ２（ｆ，ｔ）  チャネル伝送関数
【図１】
2007189680.tif 000003
【図２】
2007189680.tif 000004
【図３】
2007189680.tif 000005
【外国語明細書】
2007189680.tif 000006
2007189680.tif 000007
2007189680.tif 000008
2007189680.tif 000009
2007189680.tif 000010
2007189680.tif 000011
2007189680.tif 000012
2007189680.tif 000013
2007189680.tif 000014
2007189680.tif 000015
2007189680.tif 000016
2007189680.tif 000017
2007189680.tif 000018
2007189680.tif 000019
2007189680.tif 000020
2007189680.tif 000021
2007189680.tif 000022
2007189680.tif 000023
2007189680.tif 000024